(57)【特許請求の範囲】
【請求項１】
付加情報が１か０かに応じて前記付加情報が１である場合は多チャンネルのデジタルオーディオデータの各チャンネルの特定の時間帯における特定の周波数帯域のデータのチャンネル間の相関値が通常よりも高く変更されるように各チャンネルのサンプル値を変化させることによりチャンネル間のデータを類似もしくは等しいものにする処理を行い、前記付加情報が０である場合は前記特定の周波数帯域のデータのチャンネル間の相関値を変更せずに出力した前記デジタルオーディオデータに付加情報を持たせることを特徴としたデジタルオーディオデータに対する情報付加方法。
【請求項２】
付加情報が１か０かに応じて前記付加情報が１である場合は多チャンネルのデジタルオーディオデータのチャンネル間の特定の時間帯における特定の周波数帯域に関してチャネル間のデータの相関値が通常よりも高く変更されるように各チャンネルのサンプル値を変化させることによりチャンネル間のデータを類似もしくは等しいものにする処理が行われ、前記付加情報が０である場合は前記特定の周波数帯域のデータのチャンネル間の相関値を変更せずに出力して前記付加情報を持たせたデジタルオーディオデータが入力され帯域制限を行う帯域制限フィルターと、
前記帯域制限フィルターの出力の各時間帯におけるチャネル間の相関値を算出する相関値算出手段と、
前記相関値を２値データにする２値化手段と、
前記２値データから特定の時間帯のデータを前記付加情報として読み出すサンプリング手段と、
を有する付加情報読み出し装置。
【発明の詳細な説明】
【０００１】
【発明の属する技術分野】
デジタル化されたコンテンツデータを配信するシステムにおいて、コンテンツの違法コピー及び再販を防止するために、コンテンツの著作権などの製作者に関する情報を付加情報として記録する付加情報埋め込み装置、付加情報埋め込み方法、付加情報を埋め込んだデータを伝送する伝送方法、付加情報を埋め込んだ記録媒体、付加情報読み出し装置、及び付加情報読み出し方法に関するものである。
【０００２】
【従来の技術】
近年、画像データや音声データ、ＭＩＤＩデータ等のコンテンツデータがデジタル化され、ＣＤ−ＲＯＭ等の記録媒体に記録されて配布されたり、インターネット等のネットワークによって送受信されたりするようになり、コンテンツデータの不正コピーやコピーしたコンテンツデータを著作権者に無許可で販売する等の不正利用が問題となっている。
【０００３】
このような不正利用を防止する手段として、コンテンツデータに著作権情報等の著作権者に関する情報を付加情報として記録する付加情報埋め込み方法が研究開発されている。
【０００４】
付加情報埋め込み方法として必要な条件としては、▲１▼無理に付加情報を取り去ろうとするとコンテンツデータ自体が壊れてしまうように付加情報を埋め込むこと（コンテンツデータに著作権を示す情報が残り続けること）、▲２▼コンテンツデータのどこに情報が埋め込まれているかが分かり難いこと、▲３▼情報を埋め込んでもコンテンツデータはオリジナルの状態、クオリティを留めておくこと等がある。
【０００５】
これらの条件を満たす技術としては、画像データや音声データに存在する人間の知覚上重要ではない部分（冗長部分）に情報を埋め込むことにより、全体のデータ量を変えずに情報を埋め込むことが考えられている。
【０００６】
また、コンテンツに含まれるデータのうち特定のデータに着目し、これらのデータの一部を他のデータに置き換えて付加情報とする方法も考えられている。
【０００７】
【発明が解決しようとする課題】
しかしながら、人間の知覚上重要ではない部分（冗長部分）に付加情報を埋め込んだ場合、MPEG audioなどのよく知られている音声圧縮技術によって埋め込んだはずの付加情報が消えてしまうことが起き得る。これは音声圧縮技術が人間の知覚上重要ではない部分に関して、削除または量子化ビット数を減らすなどの処理で情報量を削減してしまうため、音声圧縮技術が処理対象としている人間の知覚上重要ではない部分と、付加情報埋め込み技術が処理対象としている人間の知覚上重要ではない部分が一致すると、付加情報が消去されやすい結果になる。
【０００８】
また、フィルターやノイズ付加などの処理を行った場合も、処理の強度があがると付加した情報が残留しにくい結果になりやすかった。
【０００９】
【課題を解決するための手段】
そこで、本発明は、付加情報が１か０かに応じて前記付加情報が１である場合は多チャンネルのデジタルオーディオデータの各チャンネルの特定の時間帯における特定の周波数帯域のデータのチャンネル間の相関値が通常よりも高く変更されるように各チャンネルのサンプル値を変化させることによりチャンネル間のデータを類似もしくは等しいものにする処理を行い、前記付加情報が０である場合は前記特定の周波数帯域のデータのチャンネル間の相関値を変更せずに出力した前記デジタルオーディオデータに付加情報を持たせることを特徴としたデジタルオーディオデータに対する情報付加方法を提供する。
【００１１】
更に、付加情報が１か０かに応じて前記付加情報が１である場合は多チャンネルのデジタルオーディオデータのチャンネル間の特定の時間帯における特定の周波数帯域に関してチャネル間のデータの相関値が通常よりも高く変更されるように各チャンネルのサンプル値を変化させることによりチャンネル間のデータを類似もしくは等しいものにする処理が行われ、前記付加情報が０である場合は前記特定の周波数帯域のデータのチャンネル間の相関値を変更せずに出力して前記付加情報を持たせたデジタルオーディオデータが入力され帯域制限を行う帯域制限フィルターと、前記帯域制限フィルターの出力の各時間帯におけるチャネル間の相関値を算出する相関値算出手段と、前記相関値を２値データにする２値化手段と、前記２値データから特定の時間帯のデータを前記付加情報として読み出すサンプリング手段と、を有する付加情報読み出し装置を提供する。
【００１２】
【発明の実施の形態】
以下、本発明に係る情報付加装置について図面を用いて説明する。
【００１３】
図１は本発明に係る情報付加装置の概念を示すブロック図である。同図によれば、オリジナルの多チャンネルディジタルオーディオデータは第１の帯域制限フィルター１と第２の帯域制限フィルター２に入力される。第１の帯域制限フィルター１と第２の帯域制限フィルター２は互いに補完しあう関係にあり、それぞれの出力を合成することにより、全帯域の信号が得られるように設計される。次に第１の帯域制限フィルター１の出力を時間帯選択手段３に入力し、時間帯選択手段３では付加情報から特定の時間帯を選択する。次に入力された埋め込む付加情報の各データの値に従い、この時間帯に関してチャンネル間の相関値が通常よりも高くなるように、チャンネル間のデータを類似もしくは等しいものにする処理を行うかどうかを決定する。この場合、付加情報が１であるか０であるかを判別し、１である場合はチャンネル相関変更手段４に入力しチャンネル相関を変更する。一方、付加情報が０であるときには、直接信号合成手段５に入力する。こうして特定の時間帯に関してチャンネル間の相関を高くされたデータと第２の帯域制限フィルター２の出力データを信号合成手段５によって合成し、付加情報付きの多チャンネルディジタルオーディオデータを得る。
【００１４】
図２は本発明に係る付加情報読み出し装置の概念を示すブロック図である。同図によれば、付加情報付きの多チャンネルディジタルオーディオデータは第３の帯域制限フィルター６に入力される。次に第３の帯域制限フィルター６の出力を相関値算出手段７に入力し、各時間帯におけるチャンネル間の相関値を算出する。次にこの相関値を２値化手段８により２値データとする。次にサンプリング手段９により、２値データから特定に時間帯のデータを読み出す。こうして得られたビットストリームを読み出された付加情報とする。
【００１５】
なお、本実施例では付加情報が２値の場合について説明したが、付加情報が多値であっても良いことはもちろんである。
【００１６】
【発明の効果】
以上説明したように、本発明に係るオーディオデータに対する情報付加方法によれば、音声圧縮やフィルターなどの処理に対して耐性の強い情報付加が可能になるという効果がある。また、情報付加を行う周波数帯域を適当に選択することにより、聴感上音楽クオリティの劣化を低く押さえることができる。
【図面の簡単な説明】
【図１】本発明に係る情報付加装置の概念を示すブロック図である。
【図２】本発明に係る付加情報読み出し装置の概念を示すブロック図である。
【符号の説明】
１    第１の帯域制限フィルター
２    第２の帯域制限フィルター
３    時間帯選択手段
４    チャンネル相関変更手段
５    信号合成手段
６    第３の帯域制限フィルター
７    相関値算出手段
８    ２値化手段
９    サンプリング手段
【図１】
0003843712.tif 000002
【図２】
0003843712.tif 000003